(57)【要約】      （修正有）【課題】骨伝導の原理を主力として活用した眠気防止器の提供。【解決手段】本考案は反発力の高い鋼やステンレス等に更に反発力を高める加工をして、樹脂球体の中に納めます。球体はキャンディ状でこれを噛むことにより球体内部の平板は曲げと戻りの反復をします。この時、音と強い振動を発生します。音と振動は歯が感じ、歯から骨へ、骨から脳へと伝わります。これが骨伝導で適確に脳に伝達され覚醒します。これだけで眠気は充分醒めますが、安全、注意、危険の表示と、サイレン音で覚醒をより一層、高めます。【選択図】図２
0003125562.tif 000002
【実用新案登録請求の範囲】
【請求項１】
食品ではありませんが外観は樹脂で出来たキャンディの様に見えます。この樹脂球は噛む為のものです。噛む行為と樹脂球と球内の起動部との組合わせが最も重要なのです。起動部とはスプリング性の高い鋼やステンレスの平板に更に加工して反発力を高めた仕掛けのものです。起動部を樹脂球の中に納め噛める状態にした事が本考案の重要点です。眠気を催した時、樹脂球を口に含み、チューイン、ガムの様に噛みます。噛む事で球内部の平板が加圧と無圧の状態になります。平板は、加圧の時に曲り、無圧の時に反発力で戻ります。この曲りと戻りの際に音と強い振動を発生します。この音と振動が歯から骨へ、骨から脳へと伝達されます。これが、いわゆる骨伝導で脳に適確に伝達し、覚醒を促します。眠気を醒ますには骨伝導だけで充分ですが、更に高い覚醒と安全を求める為に表示器を設けました。表示器の表示は、樹脂球を噛む行為がリード線を経由して伝達されます。秒単位で安全、注意危険を、緑色、赤色ランプで表示枠を点滅させ、更にサイレン音で警告します。表示器の意味合いは本人の覚醒は勿論のこと、同乗者や乗客に非常時の警告をして、事故を未然に防ぐ為です。これが本考案の眠気防止器です。
【考案の詳細な説明】
【技術分野】
【０００１】  本考案は骨伝導の原理を主力として活用した眠気防止器です。
【背景技術】
【０００２】  従来の技術はコーヒーやメンソール等のチューイン、ガムやあめ玉がありますが覚醒力が弱く、人によっては頬をつねったり、叩いたりの場面があります。
【考案の開示】
【考案が解決しようとする課題】
【０００３】  しかしながら居眠運転による交通事故は一向に減っていないのが現状と思われます。従って難問を解決すべく考案しました。
【課題が解決するための手段】
【０００４】  居眠運転による交通事故回避は脳の覚醒こそが全であるといっても過言でないと思います。例えば眠気に襲われても、一瞬ヒヤッとした事で今迄の眠気が一気に醒めてしまう事があります。また、真夜中の地震でも同様です。既に眠っているにもかかわらず、飛び起きて眠気どころではありません。これは五感の全てと脳が連動していて緊張時に自己防衛本能の現われと思われます。従って、脳が起きろと命令するのです。本考案は従来、例がありません。口中の触覚である歯から骨へ伝え、骨から脳へ伝える骨伝導を活用した事です。樹脂球を噛む事で球内の平板が作用して、加圧時、無圧時に音と刺激的振動を発します。歯、骨、脳へと伝達します。これが骨伝導です。この様にして脳に覚醒を促します。更に表示器を設けた事で視覚、聴覚が働き、より一層覚醒度を高めます。
【考案の効果】
【０００５】  本考案は骨伝導を活用した事で、小型、軽量化と安価製作を可能にした運転主のみならず、夜間勤務の医者、看護士、警備員、特殊な監視業務でうたたねも許されぬ職業の人々にも役立ちます。
【０００６】  本考案には２つの大きな効果があります。１つは前記の通り、骨伝導により運転者本人への覚醒効果が極めて高い事です。又１つは乗用者の場合は助手席や同乗者の為に、なり、乗客の多い観光バス、列車、客船等の場合、乗客の為になるのです。その理由は骨伝導と連動作用する表示器にあります。単なる眠気だけでなく、万が一、心臓発作等で心拍停止になり運転不能時でも赤点滅やサイレン音を確認した隣席者が大事故を末然に防ぐことも可能になるからです。
【考案を実施するための最良の形態】
【実施例】
【０００７】  以下は図面に基づいて説明します。図２は運転時における使用図ですが一目瞭然です。図１はＡとＢで構成されています。Ａの１は軟質樹脂製の球体です。Ａの２は球体を噛む事により作動する起動部です。噛む加圧により平板は曲り、噛みをゆるめると無圧で曲った平板は反発力で戻ります。加圧と無圧の反復は音と振動を発生し骨伝導の作用で脳に刺激を与え覚醒させます。図１の３は起動部にあるスイッチの接点作動を送信するリード線です。【０００８】  図１のＢは表示器です。球体を噛む行為はリード線を経由して表示器にシグナルを送ります。運転時の眠気の度合いは秒単位で克明に表示器に表示されます。図１の５の緑の点滅は安全を、図１の６の赤の点滅は注意を、図１の７は赤の点滅と同時にサイレン音を鳴らし危険を知らせます。常に緑の安全状態を保つ為には球体を噛み続けなければなりません。噛む頻度は脳を刺激して覚醒を高めます。赤点滅やサイレン音が鳴っても球体を噛めばリセット、スイッチが働き元の緑の安全マークに戻ります。この様に歯と目と耳は触覚、視覚、聴覚が相乗効果を生み覚醒度を更に高めます。
【図面の簡単な説明】
【０００９】
【図１】本考案の眠気防止器の詳細図
【図２】本考案の眠気防止器の運転時における使用図、
【符号の説明】
【００１０】Ａ  樹脂球体
１  被覆樹脂．
２．音と振動の起動部
３．接続リード線
４．飲込み防止具
Ｂ  表示器、
５  安全サイン緑点滅表示フレーム、
６．注意サイン赤点滅表示フレーム、
７．危険サイン用ブザー
８  デジタル表示
９  イヤホーン
【図１】
0003125562.tif 000003
【図２】
0003125562.tif 000004
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
１．本考案は単一考案で、口内に含む軟質樹脂球と表示器で構成される。
１．球体内部には起動部であるスプリング性の高い平板の鋼、ステンレス等内造している。
１．樹脂球を噛む加圧で内部の平板は半折れ状態になり音と振動を発する。噛みをゆるめる無圧でも板は復帰し同様に音と振動を発する。この振動は歯から胃へ、骨から脳へと骨伝導して覚醒する。
１．表示器は樹脂球を噛む都度、克明に信号表示する秒単位で安全、注意、危険の度合いを、緑色、赤色、のランプ表示しサイレン音で、危険警告して、覚醒する。
１．樹脂球と表示器からの覚醒シグナルを併用することで更に相乗効果のある眠気防止器。
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
眠気防止器において、
（１）口内に含む軟質樹脂球と表示器で構成される。
（２）球体内部には起動部であるスプリング性の高い平板の鋼、ステンレス等内造している。
（３）樹脂球を噛む加圧で内部の平板は半折れ状態になり音と振動を発し、噛みをゆるめる無圧でも板は復帰し同様に音と振動を発し、この振動は歯から骨へ、骨から脳へと骨伝導して覚醒する。
（４）表示器は樹脂球を噛む都度、克明に信号表示し、秒単位で安全、注意、危険の度合いを、緑色、赤色、のランプ表示しサイレン音で、危険警告して、覚醒する。
以上からなる、樹脂球と表示器からの覚醒シグナルを併用することで更に相乗効果のある眠気防止器。